(57)【要約】      （修正有）【課題】スイッチが安定して固着されるカードコネクタを提供する。【解決手段】収納スペースと複数の固持溝とが形成される絶縁性本体１と、絶縁性本体１に実装され、絶縁性本体１に固着される実装部と、収納スペースに向かって突出する接触部と、絶縁性本体１から延出される半田接続部と、を含む複数の導電端子と、絶縁性本体１の固持溝に固着される固持部と、固持部から突伸する係合部片３０５とを含むスイッチ３と、を備え、絶縁性本体１には、前記固持溝と貫通する凹溝１１６１が形成され、凹溝１１６１にはスイッチ３の係合部片３０５と係合する凸状部片１１６２が設けられる。【選択図】図５
0003143850.tif 000002
【実用新案登録請求の範囲】
【請求項１】
収納スペースと複数の固持溝とが形成される絶縁性本体と、
絶縁性本体に実装され、絶縁性本体に固着される実装部と、収納スペースに向かって突出する接触部と、絶縁性本体から延出される半田接続部と、を含む複数の導電端子と、
絶縁性本体の固持溝に固着される固持部と、固持部から突伸する係合部片とを含むスイッチと、
を備え、前記絶縁性本体には、前記固持溝と貫通する凹溝が形成され、該凹溝には前記スイッチの係合部片と係合する凸状部片が設けられることを特徴とするカードコネクタ。
【請求項２】
前記凹溝が前記固持溝の内側に形成され、絶縁性本体の底部を貫通することを特徴とする請求項１に記載のカードコネクタ。
【請求項３】
前記絶縁性本体の凸状部片には、前記係合部片をガイドするためのガイド面が形成されることを特徴とする請求項１に記載のカードコネクタ。
【請求項４】
前記スイッチは共通端子と、前記共通端子と接離可能な第１、第２接触端子と、を有し、前記係合部片が共通端子に設けられることを特徴とする請求項１に記載のカードコネクタ。
【請求項５】
前記第１接触端子と第２接触端子は共通端子の内側に設けられ、第１、第２接触端子にはそれぞれ前記収納スペースに向かって突出する第１、第２接触部が設けられることを特徴とする請求項４に記載のカードコネクタ。
【請求項６】
前記第１接触端子は、絶縁性本体に固持される第１固持部と、第１固持部から延在する第１弾力ビームと、絶縁性本体から延出する第１延出部とを含み、第２接触端子は、絶縁性本体に固持される第２固持部と、第２固持部から延在する第２弾力ビームと、絶縁性本体から延出する第２延出部とを有し、共通端子は、絶縁性本体に固持される第３固持部と、第３固持部から延在する第３弾力ビームと、絶縁性本体から延出する第３延出部とを含むことを特徴とする請求項４に記載のカードコネクタ。
【請求項７】
前記固持溝は、第１接触端子、第２接触端子及び共通端子を固持する第１、第２、第３固持溝を含むことを特徴とする請求項４に記載のカードコネクタ。
【請求項８】
カードコネクタは、前記絶縁性本体に取り付けられる排出機構を含み、排出機構がスイッチと対向する側に取り付けられることを特徴とする請求項１に記載のカードコネクタ。
【請求項９】
前記絶縁性本体には、凹所と係合片と阻止部とが設けられることを特徴とする請求項１に記載のカードコネクタ。
【請求項１０】
前記絶縁性本体にはハウジングが被覆され、該ハウジングには、前記凹所と係合片と阻止部と係合する係合部片と凹口と凹みとが設けられることを特徴とする請求項９に記載のカードコネクタ。
【考案の詳細な説明】
【技術分野】
【０００１】
本考案は、電子カードが挿入されることに用いられ、スイッチ部材を含むカードコネクタに関するものである。
【背景技術】
【０００２】
従来技術として、特許文献１に開示された電子カードが挿入されることに用いられるカードコネクタが知られ、このカードコネクタは、絶縁性本体と、絶縁性本体に固着されるスイッチとを備える。絶縁性本体の側部にはスイッチを固着するためのスロットが形成される。スイッチは片状の固持部と、固持部に設置される複数の凸状部片とを有する。カードコネクタを組み合わせる時、スイッチがスロットに押圧され、凸状部片がスロットと係合する。
【特許文献１】中国特許第２，７６８，２４０号明細書
【考案の開示】
【考案が解決しようとする課題】
【０００３】
絶縁性本体の側部が薄いことによって、側部の内壁が内向きに突出して変形し易い。これにより、スイッチが絶縁性本体から脱出し易く、検出効果が不良になる。
【０００４】
そこで本考案の目的は、上述の従来技術の問題に鑑み、スイッチが安定して固着されるカードコネクタを提供することにある。
【課題を解決するための手段】
【０００５】
本考案のカードコネクタは、収納スペースと複数の固持溝とが形成される絶縁性本体と、絶縁性本体に実装され、絶縁性本体に固着される実装部と、収納スペースに向かって突出する接触部と、絶縁性本体から延出される半田接続部と、を含む複数の導電端子と、絶縁性本体の固持溝に固着される固持部と、固持部から突伸する係合部片とを含むスイッチと、を備え、前記絶縁性本体には、前記固持溝と貫通する凹溝が形成され、該凹溝には前記スイッチの係合部片と係合する凸状部片が設けられる。
【考案の効果】
【０００６】
従来の技術に比較して本考案は以下の効果を有する。本考案の絶縁性本体には凹溝が形成される。該凹溝には前記スイッチの係合部片と係合する凸状部片が設けられる。係合部片が凸状部片と係合することによって、スイッチが上向きに移動してハウジングと接触することを防止できる。これにより、スイッチの検出効果が確保される。同時に、絶縁性本体の内側が内向きに突出することを防止できる。
【考案を実施するための最良の形態】
【０００７】
以下、この考案の実施の形態を添付の図を参照して説明する。
【０００８】
図１乃至図４を参照すると、本考案のカードコネクタ１００は、絶縁性本体１と、絶縁性本体１に固着される複数の導電端子２と、絶縁性本体１に装着されるスイッチ３と、排出機構４と、絶縁性本体１に被覆するハウジング５とを備える。
【０００９】
図３及び図４において、絶縁性本体１は基部１０と、基部１０の両側に設けられる第１、第２側部１１，１２と、該第１、第２側部１１，１２の間に形成される収納スペース１３とを備える。基部１０の底表面には、前記収納スペース１３に向かって突出する複数の突出部１３０が設けられる。各突出部１３０にはスロット１３１が形成される。基部１０の底表面には凹所１１０が形成される。第１側部１１には、第２、第３、第１固持溝１１５，１１６，１１４が順番に形成される。第２固持溝１１５が絶縁性本体１の後表面まで延在する。第１、第３固持溝１１４，１１６は、それぞれ絶縁性本体１の底表面まで形成される第１、第３固持孔１１４０，１１６０を含む。第３固持溝１１６の付近には、絶縁性本体１の底面を貫通して第３固持溝１１６と貫通する凹溝１１６１が形成される。側部１１の外側には、定位柱１１１と、係合片１１２と、阻止部１１３とが設けられる。
【００１０】
絶縁性本体１の凹溝１１６１は、三つの内側壁１１６３と、内側壁１１６３から凹溝１１６１に向かって突出する凸状部片１１６２とを含む。凸状部片１１６２には、傾斜したガイド面１１６４が形成される。第２側部１２には、排出機構４を固定するための収納部１２０と、収納部１２０に形成されるＹ字状のガイド溝１２１とが形成される。収納部１２０の後部には前向きに突出する固定柱１２２が設置される。
【００１１】
導電端子２は実装部２０と、実装部２０から突出する接触部２１と、実装部２０から延在する半田接続部２２とを有する。
【００１２】
スイッチ３は共通端子３０と、共通端子３０の前、後に配置される第１接触端子３１と第２接触端子３２とを備える。第１接触端子３１は、第１固持部３１０と、第１固持部３１０の一端から後向きに延在する第１弾力ビーム３１１と、第１弾力ビーム３１１の自由端に設けられる第１接触部３１５と、第１固持部３１０の底部から外向きに延在する第１延出部３１２と、第１固持部３１０に設けられる複数の係合部３１３とを含む。第２接触端子３２は、第２固持部３２０と、第２固持部３２０から後向きに延在する第２弾力ビーム３２１と、第２弾力ビーム３２１に設けられる第２接触部３２５と、第２固持部３２０から内向きに突出する第２延出部３２２と、第２固持部３２０に設けられる複数の係合部３２３とを有する。共通端子３０は、第３固持部３００と、第３固持部３００から後向きに延在する第３弾力ビーム３０１と、第３固持部３００の底部から延在する第３延出部３０２と、第３固持部３００に設けられる複数の係合部３０３とを含む。第３固持部３００には、開口３０４が形成される。開口３０４には内向きに突出する係合部片３０５が設けられる。第３固持部３００の下端には係合部３０３が設けられる。
【００１３】
排出機構４は、スライダー４０と、スライダー４０を押すことができるバネ体４１と、スライダー４０に固着される係止部４２と、一端がスライダー４０に固定されるポール４３と、ポール４３に当接される弾力片４４とを有する。
【００１４】
ハウジング５は、頂壁５１と、頂壁５１から延在する一対の側壁５２と後壁５３とを含む。側壁５２は、固持脚５２１と、係合部片５２２と、凹み５２３と、凹口５２４とを有する。
【００１５】
図１乃至図６に示すように、該カードコネクタ１００の組み立て時、先ず、複数の導電端子２が絶縁性本体１のスロット１３１に挿入される。導電端子２の接触部２１が絶縁性本体１の収納スペース１３に向かって突出し、半田接続部２２が絶縁性本体１から延出して回路基板（図示せず）に半田接続される。スイッチ３の第１接触端子３１、第２接触端子３２と共通端子３０はそれぞれ、絶縁性本体１の第１、第２、第３固持溝１１４〜１１６に固着される。第１接触端子３１の第１接触部３１５及び第２接触端子３２の第２接触部３２５が収納スペース１３に向かって突出し、第１接触端子３１の第１延出部３１２が第１固持孔１１４０から延出して回路基板に半田接続される。第２接触端子３２が絶縁性本体１から延出して回路基板に半田接続される。共通端子３０の第３延出部３０２が第３固持孔１１６０から延出して回路基板に半田接続される。共通端子３０の係合部片３０５が絶縁性本体１の第１側部１１のガイド面１１６４に沿って凹溝１１６１に嵌め込まれる。凸状部片３０５の頂端がガイド面１１６４に当接する。排出機構４は絶縁性本体１の第２側部１２の収納部１２０に実装される、ポール４３の一端がスライダー４０と連接し、他端がガイド溝１２１にスライド可能に収納される。バネ体４１の一端がスライダー４０と連接し、他端が収納部１２０の固定柱１２２に固定される。係止部４２が絶縁性本体１の収納スペース１３に向かって突出し、電子カード（図示せず）を固持できる。最後に、ハウジング５が絶縁性本体１に取り付けられる。ハウジング５の係合部片５２２が絶縁性本体１の第１側部１１の凹所１１０に嵌め込まれる。ハウジング５の側壁５２の凹み５２３が絶縁性本体１の阻止部１１３と係合し、凹口５２４が係合片１１２と係合する。カードコネクタ１００が一体になる。
【００１６】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１７】
【図１】本考案のカードコネクタの組立斜視図である。
【図２】図１に示されるカードコネクタの組立斜視図である。
【図３】図１に示すカードコネクタの分解斜視図である。
【図４】図１に示すカードコネクタの他の分解斜視図である。
【図５】部分に破断される絶縁性本体とスイッチの斜視図である。
【図６】図５に示すスイッチの斜視図である。
【符号の説明】
【００１８】
１  絶縁性本体
１０  基部
１００  カードコネクタ
１１  第１側部
１１０  凹所
１１１  定位柱
１１２  係合片
１１３  阻止部
１１４  第１固持溝
１１４０  第１固持孔
１１５  第２固持溝
１１６  第３固持溝
１１６０  第３固持孔
１１６１  凹溝
１１６２  凸状部片
１１６３  内側壁
１１６４  ガイド面
１２  第２側部
１２０  収納部
１２１  ガイド溝
１２２  固定柱
１３  収納スペース
１３０  突出部
１３１  スロット
２  導電端子
２０  実装部
２１  接触部
２２  半田接続部
３  スイッチ
３０  共通端子
３００  第３固持部
３０１  第３弾力ビーム
３０２  第３延出部
３０３，３１３，３２３  係合部
３０４  開口
３０５  係合部片
３１  第１接触端子
３１０  第１固持部
３１１  第１弾力ビーム
３１２  第１延出部
３１５  第１接触部
３２  第２接触端子
３２０  第２固持部
３２１  第２弾力ビーム
３２２  第２延出部
３２５  第２接触部
４  排出機構
４０  スライダー
４１  バネ体
４２  係止部
４３  ポール
４４  弾力片
５  ハウジング
５１  頂壁
５２  側壁
５２１  固持脚
５２２  係合部片
５２３  凹み
５２４  凹口
５３  後壁
【図１】
0003143850.tif 000003
【図２】
0003143850.tif 000004
【図３】
0003143850.tif 000005
【図４】
0003143850.tif 000006
【図５】
0003143850.tif 000007
【図６】
0003143850.tif 000008